(57)【要約】  容器内部への開口部を画定し、容器が開封されたときに内容物の泡立ちを実質的に低減するように構成された口部のための装置および方法が提供される。口部は、対向する端部に第１の縁部と第２の縁部とが配置された周縁部を有する円筒体を備える。第１の縁部は、第１の開口部を画定し、容器キャップを受容するように構成される。第２の縁部は、第２の開口部を画定し、容器の首部を受容するように構成される。第１の開口部と第２の開口部は、流体連通している。周縁部の外側のねじ山は、容器キャップのねじ山と回転可能に係合するように構成される。少なくとも１つの切欠き部は、第１の縁部に配置され、容器キャップを緩める間に内容物の泡立ちを減少させるように適切に形成された断面形状を備える。
2019514795.tif 000002
【特許請求の範囲】
【請求項１】
容器内部への開口部を画定し、容器が開封されたときに内容物の泡立ちを実質的に低減するように構成された口部であって、
開口部を画定し容器キャップを受容するように構成された第１の縁部および容器の首部を受容するように構成された第２の縁部が対向する端部に配置された周縁部を備える円筒体であって、開口部は内部と流体連通している、円筒体と、周縁部の外側の１つまたは複数のねじ山であって、容器キャップの１つまたは複数のねじ山と回転可能に係合するように構成されたねじ山と、
第１の縁部に配置される少なくとも１つの切欠き部であって、内容物の泡立ちを実質的に低減するように適切に形成された断面形状を有する少なくとも１つの切欠き部と
を備える、口部。
【請求項２】
第１の縁部が、加圧された内容物が内部に維持されるように、容器キャップのシール部と結合するように構成される、請求項１に記載の口部。
【請求項３】
シール部が、容器キャップの内部に配置され、加圧された内容物を内部に維持するように第１の縁部にしっかりと係合するように構成されるプラグシールを備える、請求項２に記載の口部。
【請求項４】
シール部が、加圧された内容物を内部に維持するように、容器キャップと第１の縁部との間に配置されるライナーシールを備える、請求項２に記載の口部。
【請求項５】
少なくとも１つの切欠き部が、口部の両側に配置される２つの切欠き部を備える、請求項１に記載の口部。
【請求項６】
断面形状が、半円形、正方形、および三角形のうちのいずれかである、請求項１に記載の口部。
【請求項７】
断面形状が、容器キャップを緩める間に加圧ガスが少なくとも１つの切欠き部から出るときに可聴音を発生するように設計される、請求項１に記載の口部。
【請求項８】
容器が開封されたときに内容物の泡立ちを実質的に低減するように構成された容器であって、
容器の側壁に向かって上方に延びる基部と、
側壁と釣鐘状部との間に接続された肩部であって、釣鐘状部の直径は容器の首部に向かって上方に延びるにつれて減少する、肩部と、
首部に接続され、容器キャップを受容するように構成された口部であって、容器内部への開口部を画定する口部と、
口部の頂部に配置され、容器を開封したときに内容物の泡立ちを実質的に低減するように構成された少なくとも１つの切欠き部と
を備える、容器。
【請求項９】
口部の頂部が、容器キャップのシール部を受容するようにさらに構成される、請求項８に記載の容器。
【請求項１０】
シール部が、容器キャップの内部に配置され、加圧された内容物を内部に維持するように口部にしっかりと係合するように構成されるプラグシールを備える、請求項９に記載の容器。
【請求項１１】
シール部が、加圧された内容物を内部に維持するように、容器キャップと口部との間に配置されるライナーシールを備える、請求項９に記載の容器。
【請求項１２】
口部の頂部が、容器内部への開口部の両側に配置される２つの切欠き部を備える、請求項８に記載の容器。
【請求項１３】
少なくとも１つの切欠き部が、内容物の泡立ちを実質的に低減するように適切に形成された断面形状を有する、請求項８に記載の容器。
【請求項１４】
断面形状が、半円形、正方形、および三角形のうちのいずれかである、請求項１３に記載の容器。
【請求項１５】
断面形状が、容器キャップが捻られたときに可聴音を発生するように設計される、請求項１３に記載の容器。
【請求項１６】
容器が開封されたときに容器が内容物の泡立ちを実質的に低減するようにする方法であって、
基部を容器の側壁まで上方に延ばすステップと、
側壁と釣鐘状部との間に肩部を接続するステップと、
釣鐘状部が容器の首部まで延びるにつれて直径が減少するように釣鐘状部を肩部から首部まで延ばすステップと、
口部が容器内部への開口部を画定するように口部を首部に接続するステップと、
容器キャップを受容するように口部を構成するステップと、
容器が開封されたときに内容物の泡立ちを実質的に低減するように口部の頂部に少なくとも１つの切欠き部を形成ステップと
を含む、方法。
【請求項１７】
口部を構成するステップが、第１の端部と第２の端部との間に配置され、容器キャップを受け入れるように構成された周縁部を備える円筒体を形成するステップをさらに含み、第１の端部は容器キャップを受容するように構成され、第２の端部は首部に結合するように構成される、請求項１６に記載の方法。
【請求項１８】
口部を構成するステップが、周縁部の外部に１つまたは複数のねじ山を形成するステップをさらに含み、ねじ山は、容器キャップの１つまたは複数のねじ山と回転可能に係合するように構成される、請求項１７に記載の方法。
【請求項１９】
少なくとも１つの切欠き部を形成するステップが、正方形、半円形、および三角形のうちのいずれか１つの形状を含む少なくとも１つの切欠き部の断面形状を構成するステップを含む、請求項１６に記載の方法。
【請求項２０】
少なくとも１つの切欠き部を形成するステップが、容器キャップを緩める間に加圧ガスが少なくとも１つの切欠き部から出るときに可聴音を発生するように少なくとも１つの切欠き部の断面形状を構成するステップを含む、請求項１６に記載の方法。
【発明の詳細な説明】
【技術分野】
【０００１】
本出願は、２０１６年４月２０日に出願された米国特許出願番号第１５／１３４，２６４号に対する優先権を主張し、その一部継続出願であり、２０１４年１１月１３日に出願された「Ｃａｒｂｏｎａｔｅｄ  Ｓｏｆｔ  Ｄｒｉｎｋ  Ｆｉｎｉｓｈ  Ｍｏｄｉｆｉｃａｔｉｏｎ」と題する米国仮特許出願番号第６２／０７９，４３１号の利益およびそれに対する優先権を主張する、２０１５年１１月１１日に出願された「Ｃａｒｂｏｎａｔｅｄ  Ｓｏｆｔ  Ｄｒｉｎｋ  Ｆｉｎｉｓｈ  Ｍｏｄｉｆｉｃａｔｉｏｎ」と題する米国特許出願番号第１４／９３８，５９６号の利益を主張する。前記出願各々の内容全体は、参照により本明細書に組み込まれる。
【０００２】
本発明の分野は、概して、プラスチック容器に関する。特に、本発明の分野は、炭酸飲料容器で発生する泡立ちを低減するための装置および方法に関する。
【背景技術】
【０００３】
プラスチック容器は、数十年にわたって、飲料の包装においてガラス容器または金属容器の代わりに使用されてきた。飲料容器の製造に使用される最も一般的なプラスチックは、ポリエチレンテレフタレート（ＰＥＴ）である。ＰＥＴ製の容器は透明で薄肉であり、その内容物によって容器の壁に加えられる力に耐えることによって、その形状を維持することができる。さらに、ＰＥＴ樹脂は、手頃な価格であり、加工しやすい。ＰＥＴボトルは、一般に、ＰＥＴ樹脂の射出成形によって形成されたプラスチックプレフォームのブロー成形を含むプロセスによって製造される。
【０００４】
プラスチック容器の欠点は、炭酸含有内容物を入れた容器では、容器を最初に開封したときに消費者に対して内容物の泡が吹き出す可能性があることである。場合によっては、容器の内容物が消費者の衣服または近くの家具の上に溢れ出すほど多く泡立つ場合がある。プラスチック容器の別の欠点は、容器内の二酸化炭素含有量が、炭酸液体の泡立ち性に適応するように制限されなければならないことである。二酸化炭素含有量を効果的に制限することは、炭酸含有量の風味プロファイルの寿命を短くする。したがって、二酸化炭素含有量を増やすことにより、ボトル入り炭酸含有内容物の風味プロファイルの寿命を延ばすことができるように、ボトル入り炭酸含有内容物の泡立ち性を低減するための装置および方法が必要である。
【発明の概要】
【課題を解決するための手段】
【０００５】
容器内部への開口部を画定し、容器が開封されたときに内容物の泡立ちを実質的に低減するように構成された口部のための装置および方法が提供される。口部は、対向する端部に第１の縁部と第２の縁部とが配置された周縁部を備える円筒体を備える。第１の縁部は、第１の開口部を画定し、容器キャップを受容するように構成される。一般に、第１の縁部は、容器キャップのシール部を受容するように構成される。第２の縁部は、第２の開口部を画定し、容器の首部を受容するように構成される。第１の開口部と第２の開口部は、流体連通している。周縁部の外側の１つまたは複数のねじ山は、容器キャップの１つまたは複数のねじ山と回転可能に係合するように構成される。少なくとも１つの切欠き部が、第１の開口部の周縁の第１の縁部に配置され、内容物の泡立ちを実質的に低減するように適切に形成された断面形状を有する。一実施形態では、第１の縁部は、第１の開口部の両側に配置される２つの切欠き部を備え、切欠き部の各々の断面形状は、容器キャップが口部から緩められたときに内容物の泡立ちを実質的に低減するように構成された半円形を含む。
【０００６】
例示的な一実施形態では、容器内部への開口部を画定し、容器が開封されたときに内容物の泡立ちを実質的に低減するように構成された口部は、開口部を画定し容器キャップを受容するように構成された第１の縁部および容器の首部を受容するように構成された第２の縁部が対向する端部に配置された周縁部を備える円筒体であって、開口部は内部と流体連通している、円筒体と、周縁部の外側の１つまたは複数のねじ山であって、容器キャップの１つまたは複数のねじ山と回転可能に係合するように構成されたねじ山と、第１の縁部に配置される少なくとも１つの切欠き部であって、内容物の泡立ちを実質的に低減するように適切に形成された断面形状を有する少なくとも１つの切欠き部と、を備える。
【０００７】
別の例示的な実施形態では、第１の縁部は、加圧された内容物が容器内部に維持されるように、容器キャップのシール部と結合するように構成される。別の例示的な実施形態では、シール部は、容器キャップの内部に配置されたプラグシールを備え、加圧された内容物を容器内部に維持するように第１の縁部にしっかりと係合するように構成される。別の例示的な実施形態では、シール部は、加圧された内容物を容器内部に維持するように、容器キャップと第１の縁部との間に配置されたライナーシールを備える。
【０００８】
別の例示的な実施形態では、少なくとも１つの切欠き部は、口部の両側に配置される２つの切欠き部を備える。別の例示的な実施形態では、断面形状は、半円形、正方形、および三角形のうちのいずれか１つの形状である。別の例示的な実施形態では、断面形状は、容器キャップを緩める間に加圧ガスが少なくとも１つの切欠き部から出るときに可聴音を発生するように構成される。
【０００９】
容器が開封されたときに内容物の泡立ちを実質的に低減するように構成された容器は、容器の側壁に向かって上方に延びる基部と、側壁と釣鐘状部との間に接続された肩部であって、釣鐘状部の直径は容器の首部に向かって上方に延びるにつれて減少する、肩部と、首部に接続され、容器キャップを受容するように構成された口部であって、容器内部への開口部を画定するように構成された口部と、口部の頂部に配置され、容器の開封ときに内容物の泡立ちを実質的に低減するように構成された少なくとも１つの切欠き部とを備える。
【００１０】
別の例示的な実施形態では、口部の頂部はさらに、容器キャップのシール部を受容するように構成される。別の例示的な実施形態では、シール部は、容器キャップの内部に配置されたプラグシールを備え、加圧された内容物を内部に維持するように口部にしっかりと係合するように構成される。別の例示的な実施形態では、シール部は、加圧された内容物を内部に維持するために容器キャップと口部との間に配置されたライナーシールを備える。
【００１１】
別の例示的な実施形態では、口部の頂部は、容器内部への開口部の両側に配置される２つの切欠き部を備える。別の例示的な実施形態では、少なくとも１つの切欠き部は、内容物の泡立ちを実質的に低減するように適切に形成された断面形状を有する。別の例示的な実施形態では、断面形状は、半円形、正方形、および三角形のうちのいずれか１つの形状である。別の例示的な実施形態では、断面形状は、容器キャップが捻られたときに可聴音を発生するように構成される。
【００１２】
別の例示的な実施形態では、容器が開封されたときに容器が内容物の泡立ちを実質的に低減するようにする方法は、基部を容器の側壁まで上方に延ばすステップと、側壁と釣鐘状部との間に肩部を接続するステップと、釣鐘状部が容器首部まで延びるにつれて釣鐘状部の直径が減少するように釣鐘状部を肩部から容器首部まで延ばすステップと、口部が容器内部への開口部を画定するように口部を首部に接続するステップと、容器キャップを受容するように口部を構成するステップと、容器が開封されたときに内容物の泡立ちを実質的に低減するように口部の頂部に少なくとも１つの切欠き部を形成するステップとを含む。
【００１３】
別の例示的な実施形態では、口部を構成するステップは、第１の端部と第２の端部との間に配置された周縁部を備える円筒体を形成するステップをさらに含み、第１の端部は容器キャップを受容するように構成され、第２の端部は首部と結合するように構成される。別の例示的な実施形態では、口部を構成するステップは、周縁部の外部に１つまたは複数のねじ山を形成するステップをさらに含み、ねじ山は、容器キャップの１つまたは複数のねじ山と回転可能に係合するように構成される。別の例示的な実施形態では、少なくとも１つの切欠き部を形成するステップは、正方形、半円形、および三角形のうちのいずれか１つの形状を含む少なくとも１つの切欠き部の断面形状を構成するステップを含む。別の例示的な実施形態では、少なくとも１つの切欠き部を形成するステップは、容器キャップを緩める間に加圧ガスが少なくとも１つの切欠き部から出るときに可聴音を発生するように少なくとも１つの切欠き部の断面形状を構成するステップを含む。
【００１４】
図面は、本開示の実施形態を示す。
【図面の簡単な説明】
【００１５】
【図１】本開示による加圧された炭酸含有内容物を貯蔵するのに適した容器の例示的な一実施形態の側面図である。
【図２】本開示による炭酸飲料（ＣＳＤ）口部の例示的な一実施形態の上部斜視図である。
【図３】本開示による、容器キャップが取り付けられたＣＳＤ口部の例示的な一実施形態の断面図である。
【図４Ａ】本開示によるＣＳＤ容器キャップの一実施形態の断面図である。
【図４Ｂ】本開示による熱間充填容器キャップの一実施形態の断面図である。
【図５】本開示の様々な実施形態の実験的試験の間に取得された観測データを示す表である。
【図６Ａ】本開示による容器と結合されたライナーシールを備える容器キャップの例示的な一実施形態の上部斜視図である。
【図６Ｂ】本開示による、容器キャップがない状態の図６Ａの容器およびライナーシールの上部斜視図である。
【図６Ｃ】本実施形態による図６Ａに示された容器キャップ、ライナーシール、および容器の分解上部斜視図である。
【発明を実施するための形態】
【００１６】
本開示は、様々な変更形態および代替形態が可能であるが、特定の実施形態を例として図面に示し、本明細書において詳細に説明する。本発明は、開示されている特定の形態に限定されるものではなく、むしろ、本開示の精神および範囲内にある全ての変更形態、等価物、および代替形態を含めるものとする。
【００１７】
以下の説明において、本開示の完全な理解を提供するために、多くの具体的な詳細を述べる。しかしながら、本明細書で開示されている本発明がこれらの具体的な詳細なしに実施され得ることは当業者には明らかであろう。場合によっては、「第１の切欠き部」のような特定の番号参照がなされ得る。しかしながら、特定の番号参照は、文字通りの順序として解釈されるべきではなく、「第１の切欠き部」が「第２の切欠き部」と異なるものであると解釈されるべきである。したがって、述べられている具体的詳細は単なる例示である。具体的詳細は、様々な形態に変更されてよく、その変更形態も本開示の精神および範囲内にあるものと考えてよい。「結合される」という用語は、構成要素に直接接続される、または別の構成要素を介して構成要素に間接的に接続されるという意味として定義される。さらに、本明細書で使用されるように、任意の数値または数値範囲の「約」、「およそ」、または「実質的に」という用語は、構成要素の一部または集合が本明細書に説明されている意図された目的のために機能することを可能にする適切な寸法公差を示す。
【００１８】
概して、本開示は、容器内部への開口部を画定し、容器が開封されたときに内容物の泡立ちを実質的に低減するように構成された口部のための装置および方法を説明する。口部は、対向する端部に第１の縁部と第２の縁部とが配置された周縁部を含む円筒体を備える。第１の縁部は、開口部を画定し、容器キャップを受容するように構成される。一般に、第１の縁部は、容器キャップのシール部を受容するように構成される。第２の縁部は、開口部が容器の内部と流体連通するように、容器の首部を受容するように構成される。周縁部の外側の１つまたは複数のねじ山は、容器キャップの１つまたは複数のねじ山と回転可能に係合するように構成される。少なくとも１つの切欠き部は、第１の開口部の周縁の第１の縁部に配置され、内容物の泡立ちを実質的に低減するように適切に形成された断面形状を有する。一実施形態では、第１の縁部は、口部の両側に配置される２つの切欠き部を備え、切欠き部の各々の断面形状は、内容物の泡立ちを実質的に低減するように構成された半円形を含む。
【００１９】
図１は、本開示による容器１００の例示的な実施形態の下部斜視図を示す。容器１００は、把持部１０８まで上方に延びる基部１０４を備える。限定するものではないが、基部１０４の他の構成を容器１００に組み込むこともできるが、基部１０４は花弁状の形状であることが好ましい。把持部１０８は、容器を把持するための位置となると共に、ラベルを貼付するのに適した容器１００の略平滑な円筒部分を含む。いくつかの実施形態では、把持部１０８は、一般に、深さが変化し得、把持部１０８の周囲を渦巻くまたは角張った形状になり得る１つまたは複数の側壁リブを備える。把持部１０８の追加の構成は、２０１４年１月１６日に出願された「Ｐｌａｓｔｉｃ  Ｃｏｎｔａｉｎｅｒ  ｗｉｔｈ  Ｓｔｒａｐｐｅｄ  Ｂａｓｅ」と題する米国特許出願番号第１４／１５７，４００号に開示されている。
【００２０】
図示されている実施形態では、把持部１０８は、釣鐘状部１２８に接続する肩部１２４へと移行する。図１に示されている釣鐘状部１２８は滑らかで、一般には装飾されていないが、他の実施形態では、釣鐘状部は、非限定的な例として、複数のスカラップのようなデザインの特徴を含み得る。釣鐘状部１２８は、炭酸飲料（ＣＳＤ）口部１４０に接続する首部１３６に接続する。図１に示すように、釣鐘状部１２８は、一般に、釣鐘状部１２８が肩部１２４から首部１３６およびＣＳＤ口部１４０まで上方に延びるにつれて減少する直径を有する。ＣＳＤ口部１４０は、非限定的な例として、容器キャップ１６４またはボトルキャップのような容器１００内の内容物を密封するための閉鎖部を受容するように適合可能である。ＣＳＤ口部１４０は、一般に、飲料または他の内容物を入れるための容器１００の内部へと通じる開口部を画定する。
【００２１】
図２は、容器１００の開封ときに、内容物、特に炭酸含有内容物の泡立ちを実質的に低減するように構成されたＣＳＤ口部１４０の例示的な実施形態の上部斜視図を示す。ＣＳＤ口部１４０は、対向する端部に第１の縁部１５２と第２の縁部１５６とが配置された周縁部を含む円筒体１４８を備える。第１の縁部１５２は、開口部１６０を画定し、本明細書で開示するように、容器キャップ１６４内にプラグシール１６８を受容するように構成される。ＣＳＤ口部１４０が取り付けられると開口部１６０が容器１００の内部と流体連通するように、第２の縁部１５６は、図１および図２に示すように、容器１００の首部１３６を受容するように構成される。
【００２２】
円筒体１４８の外側は、容器キャップ１６４の１つまたは複数のねじ山１７６と回転可能に係合するように構成された１つまたは複数のねじ山１７２を備える。複数の間隙１７４がねじ山に配置され、円筒体１４８の周囲に均一に位置決めされる。好ましくは、隣接するねじ山１７２の間隙１７４は、ＣＳＤ口部１４０に沿って長手方向に延びるチャネル１７８を形成するように垂直に整列される。チャネル１７８は、有利には、容器キャップ１６４が緩められたときに容器１００内の圧力を解放するように作用する。理解されるように、チャネル１７８は、ガスが隣接するねじ山１７２間の口部の周りを流れるように強いられるのではなく、容器１００の内部から逃げるようにガスの直接経路を形成する。
【００２３】
ＣＳＤ口部１４０のねじ山１７２と容器キャップ１６４のねじ山１７６との係合は、図３に最もわかりやすく示されている。しかしながら、ボトルキャップは容器キャップ１６４に限定される必要はなく、それゆえキャップ１６４以外のボトルキャップが、制限されずに、ＣＳＤ口部１４０に結合され得ることに留意すべきである。そういうものとして、図４Ａは、容器１００内の加圧内容物を密封するのに使用され得るＣＳＤ容器キャップ１８０の例示的な一実施形態の断面図を示している。ＣＳＤ容器キャップ１８０は、ＣＳＤ口部１４０のねじ山１７２と回転可能に係合するのに適した多数のねじ山１７６を備える。ねじ山１７６に配置された間隙１７４は、キャップ１８０が緩められたときに容器１００から逃げる加圧気体を抜く働きをする。容器キャップ１８０を締めるときに、キャップ内のプラグシール１８８は、開口部１６０に入り込んで、第１の縁部１５２と押圧関係になる。さらに、図４Ｂは、熱間充填容器キャップ１８４の例示的な一実施形態の断面図である。容器キャップ１８４は、プラグシール１８８よりも高いプラグシール１９２を備えることを除いて、ＣＳＤ容器キャップ１８０と実質的に同様である。したがって、熱間充填容器キャップ１８４をＣＳＤ口部１４０に締め付けている間、プラグシール１９２は、プラグシール１８８よりも開口部１６０内により深く入り込む。第１の縁部１５２は、漏れなしに容器１００内の内容物を保持するために、開口部１６０内にプラグシール１８８、１９２をしっかりと受容するように構成されることが理解されよう。
【００２４】
図２に示す実施形態では、第１の縁部１５２は、開口部１６０の両側に配置された２つの切欠き部１９６を備える。図２に示す実施形態では、切欠き部１９６は２つのチャネル１７８と整列されるが、他の実施形態では、切欠き部１９６は、必要に応じて開口部１６０の周りのどこにでも位置決めされ得る。２つの切欠き部１９６の各々は、容器キャップ１６４がＣＳＤ口部１４０に対して緩められたときに内容物の泡立ちを実質的に低減するように適切に形成された断面形状を有する。図示されている実施形態では、切欠き部１９６の断面形状は半円形である。しかしながら、他の実施形態では、切欠き部１９６の一方または両方は、半円形以外の断面形状、例えば、これらに限定されないが、円形、楕円形、長円形、長方形、正方形、三角形、Ｖ字型の楔形の断面形状、および容器キャップ１６４が容器１００から取り外されたときに内容物の泡立ちを有利に低減すると認められる任意の他の断面形状を有してよい。
【００２５】
いくつかの実施形態では、切欠き部１９６の断面形状は、容器キャップ１６４が緩められると加圧ガスが切欠き部１９６を通って容器１００から出るときに可聴音または音を発生するように特別に設計され得る。さらに、本明細書ではＣＳＤ口部１４０は容器キャップ１６４と関連して具体的に説明されているが、ＣＳＤ口部１４０は容器キャップ１６４とだけ結合される形態に限定されず、むしろ、容器１００内に内容物が密封されるようにＣＳＤ口部１４０と係合するように適切に構成された任意の容器キャップ（ＣＳＤ容器キャップ１８０および熱間充填容器キャップ１８４を含むが、これらに限定されない）が、本開示の精神および範囲から逸脱せずに、ＣＳＤ口部１４０と結合され得ることは理解されたい。
【００２６】
図３に示すように、容器キャップ１６４がＣＳＤ口部１４０にしっかりと係合されると、プラグシール１６８と第１の縁部１５２とは、加圧された内容物が容器から漏れないように協働する。一般に、ねじ山１７２とねじ山１７６との係合を緩めるように捻ることによって容器キャップ１６４が緩められると、シール部１８８は第１の縁部１５２から引き抜かれる。２つの切欠き部１９６が存在しない場合、プラグシール１６８を第１の縁部１５２から引き抜くことにより、容器１００内の圧力が大気圧まで急激に降下する。このような圧力降下は、容器１００内の内容物を泡立たせ、内容物をプラグシール１６８と第１の縁部１５２との間、および容器１００の外に押し出す可能性がある。しかしながら、図３に示す実施形態では、プラグシール１６８がＣＳＤ口部１４０から引き抜かれると、シール部は第１の縁部１５２の残りの部分から引き抜かれる前に２つの切欠き部１９６から外れ、その結果、容器１００内で生じる圧力解放が緩やかになる。理解されるように、容器１００内の圧力をよりゆっくりと開放することにより、内容物が泡立って容器から押し出される可能性が実質的に低減される。容器１００内の内圧をゆっくりと低下させることで、容器内に二酸化炭素含有量の追加の使用を可能にし、そのことによって内容物の風味プロファイルの寿命を延ばすことができることを、当業者であればさらに理解するであろう。
【００２７】
上述したように、切欠き部１９６の断面形状は、図２に示す形状に限定される必要はなく、むしろ様々な他の断面形状が切欠き部１９６に使用され得る。さらに、第１の縁部１５２上の切欠き部１９６の数および位置は、図２に示された数および位置に限定される必要はない。したがって、いくつかの実施形態では、第１の縁部１５２は、３つ以上の切欠き部１９６を備えてよい。他の実施形態では、第１の縁部１５２は、適切に構成された１つの切欠き部１９６を備えてよい。いくつかの実施形態では、複数の切欠き部１９６が、第１の縁部１５２の周囲に均一に分布してよい。いくつかの実施形態では、複数の切欠き部１９６が、第１の縁部１５２の周囲に、不均一な切欠き間の間隔を空けて位置決めされてよい。したがって、図５は、本開示の様々な実施形態の適用に関連して実施された実験的試験で観察された結果を示す表２００である。
【００２８】
いくつかの実施形態では、切欠き部１９６の代わりに、適切な寸法および形状の穴が実施され得る。容器キャップ１６４がＣＳＤ口部１４０にしっかりと係合されたときに、穴はプラグシール１６８によってすっかり覆われるように、第１の縁部１５２の真下に位置決めされ得ることが想定される。さらに、穴の形状は、容器キャップ１６４がＣＳＤ口部１４０から取り外され、圧力が容器１００の内部から解放されたときに可聴音を発するように適切に設計されてよいことが想定される。いくつかの実施形態では、各穴の形状は、容器キャップ１６４が容器１００から取り外されたときに振動するフルートまたはリードに似た形状に作られ、そのことにより容器内の圧力が開放されたときに可聴音を増幅させるようにしてよい。
【００２９】
図６Ａから図６Ｃは、本開示によるＣＳＤ口部２１２と結合された容器キャップ２０４およびライナーシール２０８の例示的な一実施形態の斜視図である。図６Ｃの分解図に最もよく示されるように、ライナーシール２０８は、容器キャップ２０４とＣＳＤ口部２１２との間に配置される。容器キャップ２０４がＣＳＤ口部２１２にしっかりと係合されると、ライナーシール２０８は、加圧された内容物が容器１００から漏れるのを防止するガスケットと同じように動作する。ＣＳＤ口部２１２が、容器キャップ２０４内のねじ山と係合するように特別に構成された１つまたは複数のねじ山１７２を備えることを除いて、ＣＳＤ口部２１２はＣＳＤ口部１４０と実質的に同様である。
【００３０】
図６Ｂに示されるように、ライナーシール２０８は、様々な適切な接着剤のいずれかを使用して第１の縁部１５２に取り付けられてもよいし、またはライナーシール２０８は、容器キャップ２０４の内側に接着される種類のものであってもよい。理解されるように、ライナーシール２０８は、加圧された内容物が容器１００から漏れないように、切欠き部１９６を塞いで封止するのに適した厚さを有することが好ましい。したがって、容器キャップ２０４がＣＳＤ口部２１２に対して緩められると、ライナーシール２０８は、第１の縁部１５２から緩む前に切欠き部１９６内で緩む。本明細書で開示するように、第１の縁部１５２の全体を開封する前に切欠き部１９６を通って加圧ガスを抜くことにより、炭酸含有内容物が泡立って、容器１００から押し出される傾向が実質的に減少する。ライナーシール２０８をＣＳＤ口部２１２と結合させることにより、内容物の風味プロファイルの寿命を長くするために容器内の比較的多い二酸化炭素含有量を使用することが可能になる。
【００３１】
本発明は、特定の変形形態および例示的な図面に関して説明されているが、当業者であれば、本発明は説明されている変形形態または図面に限定されないことを認識するであろう。さらに、上述の方法およびステップが特定の順序で生じる特定の事象を示す場合、当業者であれば、特定のステップの順序付けは変更されてよく、そのような変更は本発明の変形形態に従うことを認識するであろう。加えて、特定のステップは、可能であれば並行プロセスで同時に実行されてよく、また上述のように順次実行されてもよい。本開示の精神の範囲内にある、または請求項に見られる本発明と均等である本発明の変形形態が存在する限りにおいて、本特許はこれらの変形形態も同様に含むことを意図している。したがって、本開示は、本明細書に説明されている特定の実施形態によって制限されるものではなく、添付の請求項の範囲によってのみ制限されるものと理解すべきである。
【図１】
2019514795.tif 000003
【図２】
2019514795.tif 000004
【図３】
2019514795.tif 000005
【図４Ａ】
2019514795.tif 000006
【図４Ｂ】
2019514795.tif 000007
【図５】
2019514795.tif 000008
【図６Ａ】
2019514795.tif 000009
【図６Ｂ】
2019514795.tif 000010
【図６Ｃ】
2019514795.tif 000011
【国際調査報告】
2019514795.tif 000012
2019514795.tif 000013
2019514795.tif 000014